(57)【要約】【課題】粒径が大きく落下し易い半浮遊塵埃でも、滞空時間が長い浮遊塵埃でも就寝者の頭部周囲から取り除いて、清浄化気流を供給する空気清浄機を提供すること。【解決手段】就寝者１１の頭部後方に配置される本体部１０と、本体部１０に内蔵される送風手段１２と、本体部１０に内蔵される気流清浄化手段１３と、本体部１０に構成され清浄化気流１６を吹き出す吹き出し口１４と、本体部１０に構成される吸い込み口１５と、就寝者１１の頭部上方を覆うように本体部１０に取り付けられるカバー部１７とを備え、カバー部１７は収納状態から展開されることで就寝者１１の頭部上方を覆うよう形状が変化する構成としている。これにより、カバー部１７で就寝者１１の頭部をカバーするので、清浄化気流１６の風圧が弱くても、落下しやすい半浮遊塵埃２０や浮遊塵埃が就寝者１１の頭部周囲への侵入を防ぐことができる。【選択図】図１
2012002368.tif 000002
【特許請求の範囲】
【請求項１】
就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記カバー部は収納状態から展開されることで前記就寝者の頭部上方を覆うよう形状が変化する構成とした空気清浄機。
【請求項２】
カバー部は、複数の小カバー部から構成され、小カバー部が別々に収納された状態から互いに組み合わさることで就寝者の頭部上方を覆うよう展開される構成とした請求項１に記載の空気清浄機。
【請求項３】
カバー部は、柔軟体で構成されるカバー手段と前記カバー手段を取り付けられ折り畳みが可能な支持手段から構成され、前記支持手段が折れ曲がり前記カバー手段が折りたたまれた収納状態から前記支持手段が伸ばされ前記カバー手段も広げられることで就寝者の頭部上方を覆うよう展開される構成とした請求項１に記載の空気清浄機。
【請求項４】
カバー部は、柔軟体で構成されるカバー手段と前記カバー手段の一端を保持する吊り下げ手段とレール状に構成され前記吊り下げ手段を移動可能にする吊り下げレール手段によって構成され、前記吊り下げ手段が前記吊り下げレール手段の端部に集められ前記カバー手段がまとめられた収納状態から前記吊り下げ手段が前記吊り下げレール手段全体に移動されることで前記カバー手段が就寝者の頭部上方を覆うよう展開される構成とした請求項１に記載の空気清浄機。
【請求項５】
カバー部は、内部に気流を流すことのできる吹流し状の柔軟体で構成されるカバー手段と前記カバー手段に空気を送り込む膨張手段によって構成され、前記カバー手段の内部に気流が流されず前記カバー手段がしぼんだ収納状態から前記膨張手段によって前記カバー手段が膨らまされることで就寝者の頭部上方を覆うよう展開される構成とした請求項１に記載の空気清浄機。
【発明の詳細な説明】
【技術分野】
【０００１】
本発明は、気流を発生させ室内の局所的な空間を清浄化する空気清浄機に関するものである。
【背景技術】
【０００２】
従来、この種の空気清浄機としては、ベッドの頭側に設けられた吹き出し部からベッド上に清浄化気流を発生させ、就寝者の頭部周囲を清浄化しているものがあった。（例えば特許文献１参照）。
【０００３】
図６において、空気清浄機はベッド部１の頭側からベッド部１の下方にわたって本体部２が構成されており、本体部２の内部には送風手段（図示せず）と気流清浄化手段（図示せず）が配置されている。本体部２には吸い込み部５が設けられており、本体部２のベッド部１の頭側には吹き出し口６が設けられている。気流清浄化手段によって塵埃を除去された空気は清浄化気流７として吹き出し口６から吹き出される。清浄化気流７はベッド部１上の就寝者８の頭部に向けて流される。就寝者８の頭部周囲の浮遊塵埃は清浄化気流７によって足側へと運ばれ就寝者８の頭部周囲は清浄化される。
【先行技術文献】
【特許文献】
【０００４】
【特許文献１】特開２０００−１７１０６７号公報
【発明の概要】
【発明が解決しようとする課題】
【０００５】
しかしながら、従来の空気清浄機では、長時間浮遊し気流に乗りやすい浮遊塵埃を就寝者の頭部周囲から取り除くことはできるが、例えば花粉のように粒子が大きく気流に乗りにくいため、落下しやすい半浮遊塵埃を取り除くには、清浄化気流を強めなければならないという課題を有していた。
【０００６】
例えば、睡眠中の就寝者が花粉などの塵埃を吸引し、アレルギー反応によって目が覚めてしまうことを防いだり、また例えば副交感神経が優位であるためアレルギー反応が過剰になる目覚めの瞬間に花粉などの塵埃の吸引を防いだりするためには、浮遊塵埃だけでなく、半浮遊塵埃まで就寝者の頭部周囲から取り除く必要がある。しかし、強められた清浄化気流が睡眠中の就寝者にあたると、就寝者は不快に感じ睡眠が妨げられるという課題を有していた。またマスクなどを身につけることで就寝者が浮遊塵埃と半浮遊塵埃の吸引を防ぐこともできるが、マスクを身につけること自体が不快で睡眠が妨げられるという課題を有していた。
【０００７】
さらに、従来の空気清浄機に、就寝者の頭部周囲への半浮遊塵埃の落下を防ぐため就寝者の頭部上方にカバー部を設けると就寝者の寝起き動作が妨げられるという課題を有しており、加えてカバー部を移動可能に設けるとカバー部を就寝者の寝起き動作範囲から避けるためにはカバー部の待機場所となる広い空間が本体部の周囲に必要となり設置性が悪いという課題を有していた。
【０００８】
本発明は、上記従来の課題を解決するもので、空気清浄機の設置性を悪化させること無く、また就寝者の寝起き動作や睡眠を妨げずに就寝者の頭部周囲清浄化することを目的とする。
【課題を解決するための手段】
【０００９】
前記従来の課題を解決するために、本発明の空気清浄機では就寝者頭部の上方にカバー部を設けそのカバー部を収納状態から展開させることで就寝者の頭部上方を覆うように形状が変化する構成としたものである。
【００１０】
就寝者の頭部の上方にカバー部を設けることで、半浮遊塵埃が就寝者の頭部周囲に落下することを防ぐことができ、浮遊塵埃は清浄化気流を強めることなく頭部周囲への侵入を防ぐことができる。そのため強い清浄化気流が当たって就寝者の睡眠が妨げられることなく就寝者の頭部周囲を清浄化できる。
【００１１】
またカバー部は収納状態から展開されることで就寝者の頭部上方を覆うように形状が変化する構成とされているため、収納状態では就寝者の寝起き動作を妨げず、本体部の周囲にカバー部を待機させるための広い空間が必要ない。
【発明の効果】
【００１２】
本発明の空気清浄機は、強い清浄化気流を発生させる必要が無いため就寝者の睡眠を妨げることなく就寝者の頭部周囲を清浄化することができる。またカバー部によって就寝者の寝起き動作を妨げることもなく、本体部の周囲に広い空間を必要としないため設置性も高く構成できる。
【図面の簡単な説明】
【００１３】
【図１】本発明の実施の形態１における空気清浄機の斜視図
【図２】（ａ）本発明の実施の形態１における空気清浄機の側面図、（ｂ）同、カバー部収納状態の空気清浄機の側面図
【図３】同空気清浄機のその他の構成図
【図４】同空気清浄機のその他の構成図
【図５】同空気清浄機のその他の構成図
【図６】従来の空気清浄機の側断面図
【発明を実施するための形態】
【００１４】
第１の発明の空気清浄機は、就寝者の頭部後方に配置される本体部と、前記本体部に内蔵される送風手段と、前記本体部に内蔵される気流清浄化手段と、前記本体部に構成され清浄化気流を吹き出す吹き出し口と、前記本体部に構成される吸い込み口と、前記就寝者の頭部上方を覆うように前記本体部に取り付けられるカバー部とを備え、前記カバー部は収納状態から展開されることで前記就寝者の頭部上方を覆うよう形状が変化する構成とする。
【００１５】
これにより、カバー部によって粒子が大きく落下しやすい半浮遊塵埃が就寝者の頭部周囲に落下することを防ぐことができ、長時間浮遊する浮遊塵埃は気流にのりやすいため清浄化気流を強めることなく頭部周囲への侵入を防ぐことができる。そのため強い清浄化気流が当たって就寝者の睡眠が妨げられること無く就寝者の頭部周囲を清浄化できる。またカバー部は収納状態から展開されることで就寝者の頭部上方を覆うように形状が変化する構成とされているため、収納状態では就寝者の寝起き動作を妨げず、本体部の周囲にカバー部を待機させるための広い空間が必要なく設置性が高い。
【００１６】
第２の発明は、特に第１の発明のカバー部を、複数の小カバー部から構成され、小カバー部が別々に収納された状態から互いに組み合わさることで就寝者の頭部上方を覆うよう展開される構成とすることにより、小カバー部の全てを収納する状態と小カバー部の全てを展開する状態のほかに小カバー部の一部のみ展開することができるようになるため、例えば半浮遊塵埃が多く存在し就寝者の頭部上方の広い範囲を覆う必要がある場合やまた例
えば半浮遊塵埃が少なく就寝者の目、鼻、口の真上の狭い範囲を覆う場合などのように状況に応じてカバー部が覆う範囲を変更することができ、常に大きいカバー部が目の前に存在することで就寝者に圧迫感を与えることがない。
【００１７】
第３の発明は、特に第１の発明のカバー部を、柔軟体で構成されるカバー手段と前記カバー手段を取り付けられ折り畳みが可能な支持手段から構成され、前記支持手段が折れ曲がり前記カバー手段が折りたたまれた収納状態から前記支持手段が伸ばされ前記カバー手段も広げられることで就寝者の頭部上方を覆うよう展開される構成とすることにより、収納状態ではカバー手段が柔らかく小さく折りたたまれる一方で展開時には支持手段が伸びることによってカバー手段が広がり大きく展開できる。また展開した状態でカバー手段は張り詰めた状態になるためカバー手段の形状が安定し確実に就寝者の頭部上方を覆うことができる。
【００１８】
第４の発明は、特に第１の発明のカバー部を、柔軟体で構成されるカバー手段と前記カバー手段の一端を保持する吊り下げ手段とレール状に構成され前記吊り下げ手段を移動可能にする吊り下げレール手段によって構成され、前記吊り下げ手段が前記吊り下げレール手段の端部に集められ前記カバー手段がまとめられた収納状態から前記吊り下げ手段が前記吊り下げレール手段全体に移動されることで前記カバー手段が就寝者の頭部上方を覆うよう展開される構成とすることにより、カバー部が展開した状態でカバー手段は自重によって垂れ下がることで就寝者の頭部上方を覆う形状を維持しており外から力が加わると容易に形状が変化する。そのため就寝者がカバー手段に接触しても形状が変化するため衝撃が無く安全性が高い。
【００１９】
第５の発明は、特に第１の発明のカバー部を、内部に気流を流すことのできる吹流し状の柔軟体で構成されるカバー手段と前記カバー手段に空気を送り込む膨張手段によって構成され、前記カバー手段の内部に気流が流されず前記カバー手段がしぼんだ収納状態から前記膨張手段によって前記カバー手段が膨らまされることで就寝者の頭部上方を覆うよう展開される構成とすることにより、カバー部が展開した状態でカバー手段は空気の圧力によって形状を維持しており外から力が加わると容易に形状が変化する。そのため就寝者がカバー手段に接触しても形状が変化するため衝撃が無く安全性が高い。また膨張手段からカバー手段の内部へと送られた空気はカバー手段の端部から吹き出されるため、清浄化気流と共に浮遊塵埃の侵入を防ぐためより確実に就寝者の頭部周囲を清浄化できる。
【００２０】
以下、本発明の実施の形態について、図面を参照しながら説明する。なお、本実施の形態によって本発明が限定されるものではない。
【００２１】
（実施の形態１）
図１は、本発明の実施の形態１における空気清浄機の斜視図を示すものである。
【００２２】
図１において、空気清浄機は本体部１０を有しており、本体部１０は就寝者１１の頭側後方に配置されている。本体部１０には送風手段１２（図示せず）と気流清浄化手段１３（図示せず）が配置されている。本体部１０の正面に吹き出し口１４が設けられており、本体部１０の背面には吸い込み口１５（図示せず）が設けられている。吹き出し口１４からは清浄化気流１６が就寝者１１の頭部周囲に向けて吹き出されている。本体部１０の正面側にはカバー部１７が設けられている。カバー部１７は複数の小カバー部１８が組み合わさって構成されている。
【００２３】
図２（ａ）は、本発明の実施の形態１における空気清浄機の側面図を示すものであり、図２（ｂ）は同、カバー部収納状態の空気清浄機の側面図を示すものである。
【００２４】
図２（ａ）において、カバー部１７は就寝者１１の頭部上方を覆うように配置されており、花粉などのアレルゲンと接触することでアレルギー反応を起こす就寝者１１の目、鼻、口を含め頭部全体は、上方から見るとカバー部１７の陰に隠れた状態になっている。
【００２５】
本体部１０には送風手段１２と気流清浄化手段１３が配置されている。本体部１０の正面に吹き出し口１４が設けられており、本体部１０の背面には吸い込み口１５が設けられている。
【００２６】
カバー部１７は複数の小カバー部１８が組み合わさって構成されている。小カバー部１８のうち最も上方側に位置する小カバー部１８Ａと小カバー部１８のうち中央に位置する小カバー部１８Ｂは隙間無く組み合わされており、小カバー部１８Ｂと小カバー部１８のうち最も下方に位置する小カバー部１８Ｃも隙間無く組み合わされている。
【００２７】
小カバー部１８Ａの外面と小カバー部１８Ｂの内面は同じ形状に構成されており、小カバー部１８Ｂの外面と小カバー部１８Ｃの内面も同じ形状に構成されている。
【００２８】
またカバー部１７の周囲には浮遊塵埃１９（図示せず）が浮遊している。同時にカバー部１７の上方からは半浮遊塵埃２０が落下しつつあり、カバー部１７の外面には既に落下した半浮遊塵埃２０が付着している。
【００２９】
図２（ｂ）において、就寝者１１は起き上がっており、カバー部１７は収納状態になっている。小カバー部１８同士が重ね合わさることで全体的な大きさが小さくなり本体部１０の上方に置かれている。カバー部１７の外面に付着していた半浮遊塵埃２０は本体部１０の背面側の床面に落下している。
【００３０】
以上のように構成された空気清浄機について、以下その動作、作用を説明する。まず、就寝者１１が居ない場合に空気清浄機は停止している。カバー部１７は本体部１０の上方に収納された状態で置かれ、就寝者１１は横たわろうとする際にカバー部１７を避ける必要が無いため容易に横たわることができる。
【００３１】
就寝者１１は横たわった状態で空気清浄機を起動させ、送風手段１２を動作させる。また就寝者１１はカバー部１７を収納状態から展開させる。
【００３２】
カバー部１７が就寝者１１の頭部上方に移動すると、就寝者１１の頭部周囲に落下しようとする半浮遊塵埃２０はカバー部１７の外面に当たるようになる。このとき小カバー部１８Ｃはその外面が垂直に近い状態であるため半浮遊塵埃２０が落下してくることが少なく、ほとんどの半浮遊塵埃２０は小カバー部１８Ａと小カバー部１８Ｂに当たる。
【００３３】
カバー部１７の外面に当たった半浮遊塵埃２０の一部はカバー部１７の外面で反射し頭部周囲から離れた床面へと落下する。また一部の半浮遊塵埃２０はそのままカバー部１７の外面に沿って移動し小カバー部１８Ａに当たった塵埃は小カバー部１８Ｂの端部に当たって停止する。また小カバー部１８Ｂに当たった塵埃は小カバー部１８Ｃの端部に当たって停止する。またさらに一部の半浮遊塵埃２０はカバー部１７の外面に付着した状態で残る。これらによって半浮遊塵埃２０が就寝者１１の頭部周囲に落下することはなくなる。
【００３４】
一方、送風手段１２によって吹き出し口１４から空気が吸引され、その空気は気流清浄化手段１３で清浄化された後に吹き出し口１４から清浄化気流１６として吹き出される。清浄化気流１６は就寝者１１の頭部周囲へと吹き出される。浮遊塵埃１９は落下することなく長時間浮遊し、就寝者１１の呼吸による気流などのわずかな気流にのって就寝者１１の頭部周囲に近づこうとするが、清浄化気流１６によって就寝者１１の頭部周囲から除去
される。このとき浮遊塵埃１９はわずかな気流にのって移動するため清浄化気流１６が就寝者１１に不快感を与えない微風であっても就寝者１１の頭部周囲を清浄化できる。
【００３５】
清浄化気流１６が微風であるため就寝者１１の睡眠が妨げられることは無く、浮遊塵埃１９も半浮遊塵埃２０も就寝者１１の頭部周囲から除去されるため例えば花粉などによりアレルギー反応が引き起こされ目が覚めるということもない。
【００３６】
続いて、就寝者１１が睡眠から目覚めると就寝者１１は空気清浄機を停止させカバー部１７を収納状態へと移し起き上がる。これによってカバー部１７は就寝者１１の寝起き動作範囲外に移動するため就寝者１１は容易に起き上がり動作を行うことができる。
【００３７】
一方、カバー部１７が収納されるのに伴ってカバー部１７の外面に付着していた半浮遊塵埃２０も移動しはじめてしまう。しかし半浮遊塵埃２０は主に小カバー部１８Ａと小カバー部１８Ｂに付着しており、小カバー部１８Ａに付着していた半浮遊塵埃２０は小カバー部１８Ｂの端部に当たるため就寝者１１の周囲には落下せず、同じく小カバー部１８Ｂに付着していた半浮遊塵埃２０は小カバー部１８Ｃの端部に当たるため就寝者１１の周囲には落下しないため、より確実に就寝者１１の頭部周囲を清浄化できる。
【００３８】
またさらに、カバー部１７が収納されていくと、小カバー部１８Ａの外面と小カバー部１８Ｂの内面は同じ形状に構成されており、小カバー部１８Ｂの外面と小カバー部１８Ｃの内面も同じ形状に構成されていることから、ワイパーのように小カバー部１８Ｃの端部が小カバー部１８Ｂの外面に積もった半浮遊塵埃２０を押しやり、同様に小カバー部１８Ｂの端部が小カバー部１８Ａの外面に積もった半浮遊塵埃２０を押しやっていく。最終的に小カバー部１８Ａと小カバー部１８Ｂに積もった半浮遊塵埃２０は外面から押し出され、床面へと落下する。
【００３９】
この半浮遊塵埃２０が取り除かれる動きは、カバー部１７の収納動作と同時に起こるため、半浮遊塵埃２０がカバー部１７の外面から離れる時点でカバー部１７は本体部１０の上方に移動しており、取り除かれた半浮遊塵埃２０は本体部１０の背面側に落とされる。このため就寝者１１の頭部周囲には落下せず就寝者１１の頭部周囲は清浄に保たれる。またこれによってカバー部１７の外面も半浮遊塵埃２０の付着していない清潔な状態に戻る。
【００４０】
カバー部１７は、折りたたまれた状態で収納されるため、就寝者１１の頭部上方から移動させたカバー部１７が本体部１０の背部や左右の空間に突出することはなく、設置性が高い。カバー部１７は収納された状態を維持し、就寝者１１は再び横たわり同様の操作を繰り返す。
【００４１】
なお、本実施の形態でカバー部１７は、それぞれの形状は変化しない複数の小カバー部１８によって構成されたが、図３に示した空気清浄機の他の構成例のように、カバー部１７を、布のような柔軟体で構成されるカバー手段２１とカバー手段２１を取り付けられ折り畳みが可能な支持手段２２を傘のような形状に構成し、支持手段２２が折れ曲がりカバー手段２１が折りたたまれた収納状態から支持手段２２が伸ばされカバー手段２１も広げられることで就寝者１１の頭部上方を覆うよう展開される構成としてもよい。
【００４２】
収納状態ではカバー手段２１が柔らかいため小さく折りたたまれる一方で展開時には支持手段２２が伸びることによってカバー手段２１が広がり大きく展開できる。また展開した状態でカバー手段２１は張り詰めた状態になるためカバー手段２１の形状が安定し確実に就寝者１１の頭部上方を覆うことができる。
【００４３】
なお、本実施の形態でカバー部１７は、それぞれの形状は変化しない複数の小カバー部１８によって構成されたが、図４に示した空気清浄機の他の構成例のように、カバー部１７を、布のような柔軟体で構成されるカバー手段２１とカバー手段２１の一端を保持する吊り下げ手段２３とレール状に構成され吊り下げ手段２３を移動可能にする吊り下げレール手段２４によってカーテン状に構成し、吊り下げ手段２３が吊り下げレール手段２４の端部に集められカバー手段２１がまとめられた収納状態から吊り下げ手段２３が吊り下げレール手段２４の全体に移動されることでカバー手段２１が就寝者１１の頭部上方を覆うよう展開される構成としてもよい。
【００４４】
吊り下げレール手段２４は就寝者１１の頭部上方でかつ就寝者１１の寝起き動作の範囲外に設けられている。真っ直ぐに落下してくる半浮遊塵埃２０は吊り下げレール手段２４に当たるが、わずかに角度を持って落下してくる半浮遊塵埃２０が就寝者１１の頭部周囲に落下することを防ぐことができない。
【００４５】
カバー手段２１がまとめられた収納状態から吊り下げ手段２３が吊り下げレール手段２４の全体に移動されることでカバー手段２１は特に就寝者１１の頭部上方の空間の側面側を覆うことになる。これによって斜めに落下してくる半浮遊塵埃２０も就寝者１１の頭部周囲に落下することを防ぐことができ、確実に就寝者１１の頭部周囲を清浄に保つことができる。
【００４６】
またカバー部１７が展開した状態でカバー手段２１は自重によって垂れ下がることで就寝者１１の頭部上方を覆う形状を維持しており、外から力が加わると容易に形状が変化する。そのため就寝者１１がカバー手段２１に接触しても形状が変化するため衝撃が無く安全性が高い。
【００４７】
なお、本実施の形態でカバー部１７は、それぞれの形状は変化しない複数の小カバー部１８によって構成されたが、図５に示した空気清浄機のその他の構成例のように、カバー部１７を、内部に気流を流すことのできる吹流し状の柔軟体で構成されるカバー手段２１とカバー手段２１に空気を送り込む膨張手段２５によって構成され、カバー手段２１の内部に気流が流されずカバー手段２１がしぼんだ収納状態から膨張手段２５によってカバー手段２１が膨らまされることで就寝者１１の頭部上方を覆うよう展開される構成としてもよい。
【００４８】
カバー手段２１がしぼんだ収納状態から膨張手段２５に空気が流されると、空気の圧力によってカバー手段２１は徐々に膨らんでいく。膨らんでいく過程においてカバー手段２１は空気の流れる内部の流路もしぼんだ状態である。そのため膨張手段２５によって送り込まれた空気は逃げにくくカバー手段２１内部の圧力は高まりやすい。
【００４９】
カバー手段２１がある程度膨らむとカバー手段２１は吹流しの構成となっているため内部に送り込まれた空気がカバー手段２１の先端から外に流れ出る。圧力が上がりにくくなるため膨張手段２５は出力を高めさらに空気を送る。
【００５０】
膨張手段２５の出力を高め内部の圧力を高めていくと最終的にカバー手段２１は膨らみきったところで形状の変化をとめる。あらかじめカバー手段２１の形状を就寝者１１の頭部上方を覆うよう構成しておくことで、就寝者１１の頭部上方を覆い半浮遊塵埃２０が就寝者１１の頭部周囲に落下してくることを防ぐことができる。
【００５１】
また膨張手段２５は、カバー手段２１が膨らみきった形状を維持できる最低限の出力で動作させる。カバー手段２１は形状を維持できる最低限の圧力によって支えられており、外から力が加わると容易に形状が変化する。そのため就寝者１１がカバー手段２１に接触
しても形状が変化するため衝撃が無く安全性が高い。
【００５２】
またまた膨張手段２５からカバー手段２１の内部へと送られた空気はカバー手段２１の先端から吹き出される。この空気は就寝者１１の頭部周囲に吹き出され、エアーカーテンの役割も果たす。これによって清浄化気流１６と共に浮遊塵埃１９の侵入を防ぐため確実に就寝者１１の頭部周囲を清浄化できる。
【００５３】
上記した実施の形態における構成は、必要に応じて適宜組み合わせて使用することができるものであり、実施の形態そのものの構成に限られるものではない。
【産業上の利用可能性】
【００５４】
以上のように、本発明にかかる空気清浄機は気流によって局所的な空間を清浄化する装置に適用できる。
【符号の説明】
【００５５】
２、１０  本体部
８、１１  就寝者
１２  送風手段
１３  気流清浄化手段
６、１４  吹き出し口
１５  吸い込み口
７、１６  清浄化気流
１７  カバー部
１８  小カバー部
１９  浮遊塵埃
２０  半浮遊塵埃
２１  カバー手段
２２  支持手段
２３  吊り下げ手段
２４  吊り下げレール手段
２５  膨張手段
【図１】
2012002368.tif 000003
【図２】
2012002368.tif 000004
【図３】
2012002368.tif 000005
【図４】
2012002368.tif 000006
【図５】
2012002368.tif 000007
【図６】
2012002368.tif 000008